(57)【特許請求の範囲】
【請求項１】
被写体像を撮像して画像信号を出力する撮像部と、
装置のパンニングを検出する検出部と、
前記撮像部から出力された画像信号に基づいた画像の撮像領域の中から被写体を検出する被写体検出部と、
前記検出部がパンニングを検出した場合に、前記検出部により検出されたパンニングに基づいて、前記撮像部から出力された画像信号に基づいた画像の撮像領域の中から流し撮り対象となる被写体を特定する特定部と、
前記被写体検出部が検出した被写体に対して撮影条件を設定し、前記撮像部から出力された画像信号に基づいた画像とともに、前記被写体検出部が検出した被写体であることを示す情報である検出被写体情報を表示部に表示させ、前記検出部がパンニングを検出した場合に、前記表示させた検出被写体情報を前記表示部に消去させ、前記特定部が特定した被写体であることを示す情報である特定被写体情報を前記表示部に表示させる制御部と、
を備えることを特徴とする撮像装置。
【請求項２】
請求項１に記載の撮像装置において、
前記制御部は、
前記撮像部から連続して出力された画像信号に基づいた画像を、前記表示部に連続して表示させる、
ことを特徴とする撮像装置。
【請求項３】
請求項１または請求項２に記載の撮像装置において、
前記制御部は、
前記特定部が前記被写体を検出しなくなった場合に、前記表示させた特定被写体情報を前記表示部に消去させる、
ことを特徴とする撮像装置。
【請求項４】
請求項１から請求項３のいずれかに記載の撮像装置において、
前記特定部が特定した被写体に対して撮像条件を設定する設定部、
を備えることを特徴とする撮像装置。
【発明の詳細な説明】
【技術分野】
【０００１】
本発明は、撮像装置に関する。
【背景技術】
【０００２】
従来、撮影者が流し撮りする場合に、流し撮りにおけるシャッター速度を自動算出する技術が知られている（特許文献１参照）。
【先行技術文献】
【特許文献】
【０００３】
【特許文献１】特開平５−２３２５６２号公報
【発明の概要】
【発明が解決しようとする課題】
【０００４】
しかしながら従来技術にあっては、撮影者が流し撮りする場合に、いずれの被写体が流し撮り対象であるかを撮影者が確認することができないという問題があった。
【０００５】
本発明は、このような事情に鑑みてなされたもので、その目的は、撮影者が流し撮りする場合に、いずれの被写体が流し撮り対象であるかを撮影者が確認することができる撮像装置を提供することにある。
【課題を解決するための手段】
【０００６】
この発明は上述した課題を解決するためになされたもので、被写体像を撮像して画像信号を出力する撮像部と、装置のパンニングを検出する検出部と、前記撮像部から出力された画像信号に基づいた画像の撮像領域の中から被写体を検出する被写体検出部と、前記検出部がパンニングを検出した場合に、前記検出部により検出されたパンニングに基づいて、前記撮像部から出力された画像信号に基づいた画像の撮像領域の中から流し撮り対象となる被写体を特定する特定部と、前記被写体検出部が検出した被写体に対して撮影条件を設定し、前記撮像部から出力された画像信号に基づいた画像とともに、前記被写体検出部が検出した被写体であることを示す情報である検出被写体情報を表示部に表示させ、前記検出部がパンニングを検出した場合に、前記表示させた検出被写体情報を前記表示部に消去させ、前記特定部が特定した被写体であることを示す情報である特定被写体情報を前記表示部に表示させる制御部と、を備えることを特徴とする撮像装置である。
【発明の効果】
【０００７】
この発明によれば、表示制御部が、パンニングが検出された場合に、撮像部から出力された画像信号に基づいた画像とともに、特定部により流し撮り対象として特定された被写体であることを示す情報である特定被写体情報を表示部に表示させる。これにより、撮影者が流し撮りする場合に、いずれの被写体が流し撮り対象であるかを撮影者が確認することができる。
【図面の簡単な説明】
【０００８】
【図１】この発明の一実施形態による撮像装置の構成を示すブロック図である。
【図２】流し撮りする場合に、モニターに表示される画像を示す説明図である。
【図３】流し撮り対象となる被写体を特定する方法を説明する説明図である。
【図４】本実施形態による撮像装置の動作を説明するフローチャートである。
【図５】図４のステップＳ０４５の動作を詳細に説明するフローチャートである。
【発明を実施するための形態】
【０００９】
以下、図面を参照して、本発明の実施の形態について説明する。図１は、この発明の第１の実施形態による撮像装置１００の構成を示す概略ブロック図である。撮像装置１００は、撮像部１０、不揮発メモリー１１、バッファメモリー１２、操作検出回路１３、モニター制御回路１４、モニター（表示部）１５、メモリー制御回路１６、メモリー１７、および制御部２０を備えている。
【００１０】
撮像部１０は、光学系１、角速度センサー２、光学系制御回路３、撮像素子制御回路７、撮像素子８、および映像回路９を備え、光学系１による光学像（被写体像）を撮像して画像信号を生成して出力する。光学系１は、例えば、焦点を調整する機能を有するフォーカスレンズ、手ブレによる像揺れを補正する機能を有する手ブレ防止レンズ、絞り羽根、および、シャッター等を備えている。
【００１１】
角速度センサー２は、撮像装置１００の角度変化（移動速度や移動方向を含む）を検出する。この角速度センサー２は、撮像装置１００の３軸まわりの回転量を検出する。流し撮りする場合、流し撮り対象に追従して、撮影者により撮像装置１００の向きが変えられる。この場合、この角速度センサー２により、撮像装置１００の角度変化を検出することにより、流し撮りをしているか否かを判定することができる。
【００１２】
光学系制御回路３は、フォーカスレンズを制御して自動的に焦点を調整するオートフォーカス（以下、ＡＦ）制御機能、シャッターの開閉を制御するシャッター制御機能、絞り羽根の絞りを制御して自動的に露出を調整するＡＥ制御機能等を備えている。光学系制御回路３は、光学系１を駆動させ、撮像素子８への光量を調節する。
【００１３】
撮像素子８は、ＣＣＤ（Charge Coupled Device）、あるいは、ＣＭＯＳ（Complementary Metal Oxide Semiconductor）等であり、光学系１から出力された光学像が結像される受光面を有し、結像された光学像を電気信号に変換してアナログの画像信号を出力する。また、撮像素子８は、撮像素子制御回路７により制御され、シャッターが切られる前においては、入射する光学像に基づきスルー画像信号をフレーム毎に連続して出力し、シャッターが切られたことに応じて、入射する光学像に基づき静止画像用の画像信号を出力する。
【００１４】
映像回路９は、撮像素子８から出力される画像信号を増幅し、デジタル信号に変換する。撮像素子制御回路７は、撮像素子８に結像された光学像の画像信号への変換や、変換された画像信号の出力などの動作を制御する。例えば撮像素子制御回路７は、制御部２０によって制御される露光時間で、撮像素子８に光学像を結像させる露光時間制御や、撮像素子８に一定時間ｔの間隔で複数のスルー画像信号を生成させるスルー画生成制御等を行う。なお一定時間ｔの間隔とは、例えば１／６０秒である。
【００１５】
不揮発メモリー１１は、制御部２０を動作させるプログラムや、ユーザから入力された各種設定や撮影条件などの情報を記憶する。不揮発メモリー１１は、例えば、操作検出回路１３から入力される情報に基づき、自動レリーズ設定の有無や、自動レリーズ設定の設定条件等の情報を記憶する。
バッファメモリー１２は、制御部２０の制御処理に用いられる一時的な情報の記憶領域である。例えば、撮像素子８から出力されるスルー画像信号や、制御部２０によって画像処理された撮影画像信号などが制御部２０によって一時的に記憶される。
【００１６】
操作検出回路１３は、各入力部がユーザによって操作されることに応じて、操作に対応する制御信号を制御部２０に出力する。ここで、各入力部とは、例えば、電源スイッチ１３ａ、レリーズスイッチ１３ｂ、・・・１３ｎである。例えば、レリーズスイッチ１３ｂが全押しされたことに応じて、操作検出回路１３は、レリーズ信号を制御部２０に出力する。
【００１７】
モニター制御回路１４は、例えば、モニター１５の点灯と消灯および明るさ調整などの表示制御や、制御部２０によって画像処理された画像信号をモニター１５に表示させる処理を行う。モニター１５は、画像信号に応じた画像を表示するディスプレイであり、例えば、ＬＣＤ（Liquid Crystal Display）などの液晶ディスプレイである。
【００１８】
メモリー制御回路１６は、制御部２０とメモリー１７との情報の入出力を制御し、例えば制御部２０によって画像処理された画像信号をメモリー１７に記憶させる処理や、メモリー１７に記憶されている画像信号等の情報を読み出して制御部２０に出力する処理などを行う。メモリー１７は、例えば、メモリーカードなど撮像装置１００に対して抜き差し可能な記憶媒体であり、制御部２０によって画像処理された画像信号などが記憶される。
【００１９】
制御部２０は、不揮発メモリー１１に記憶されたプログラムに基づいて撮像装置１００の各部の動作を制御するＣＰＵ（Central Processing Unit）等である。例えば、制御部２０は、ユーザの操作に応じて操作検出回路１３から入力される制御信号に応じて、撮像装置１００への電源の投入、光学系制御回路３を介した光学系１の駆動制御、撮像素子制御回路７を介した撮像素子８の駆動制御、モニター制御回路１４を介したモニター１５の表示制御等を行う。
【００２０】
この制御部２０は、画像処理部２１と、表示制御部２２と、撮影制御部２３と、被写体検出部２４と、検出部２５と、特定部２６と、設定部２７と、を備えている。
【００２１】
画像処理部２１は、撮像素子８から映像回路９に出力された画像信号（静止画像信号およびスルー画像信号）に対して画像処理を行う。画像処理部２１は、例えば、スルー画像信号に対して、動画的にモニター１５に表示されるように画像処理を行い、バッファメモリー１２に記憶させる。
【００２２】
検出部２５は、角速度センサー２から出力された３軸まわりの回転量に基づいて、撮像装置１００のパンニングを検出する。
【００２３】
被写体検出部２４は、撮像部１０から出力された画像信号に基づいた画像の撮像領域の中から主要被写体を検出する。この被写体検出部２４は、撮像装置１００が撮影者によりパンニングされていない場合に、すなわち、検出部２５がパンニングを検出していない場合に、主要被写体を検出する。例えば、この被写体検出部２４は、撮像領域の中に複数の被写体がある場合には、撮像装置１００に最も近い被写体を主要被写体として検出する。この被写体検出部２４による主要被写体の検出方法については、人物を主要被写体として検出する方法であってもよいし、移動体を主要被写体として検出する方法であってもよいし、画面内におけるサイズが最も大きい物体を主要被写体として検出する方法であってもよい。
【００２４】
特定部２６は、検出部２５がパンニングを検出した場合に、（検出部２５により検出されたパンニングに基づいて、）撮像部１０から出力された画像信号に基づいた画像の撮像領域の中から流し撮り対象となる被写体を特定する。
【００２５】
この特定部２６は、例えば、検出部２５がパンニングを検出した場合には、まず、撮像部１０から出力された画像信号に基づいて、画面内における被写体の動きベクトルを被写体毎に算出する。次に、特定部２６は、当該算出した動きベクトルが画面内において０となる被写体を、流し撮り対象となる被写体として特定する。なお特定部２６は、算出した動きベクトルが画面内において０を中心として予め定められている範囲内にある場合に、この被写体を流し撮り対象となる被写体として特定してもよい。
【００２６】
このようにして特定部２６が流し撮り対象となる被写体を特定することができるのは、撮影者は流し撮り対象となる被写体に対して撮像装置１００をパンニングしており、撮影者が流し撮り対象に追従してパンニングできている場合には、流し撮り対象の画面内における動きベクトルは０となるからである。
【００２７】
なお、画面内における被写体の検出は、例えば、撮像領域となる画像を複数のブロックに分割し、ブロック毎の移動ベクトルを算出しておいて、移動ベクトルが同じブロック、または、色やパターンが同じブロックを、同一の被写体に対応するブロックとして検出する。このようにして、ブロック単位でそれぞれの被写体となる領域を検出する。
【００２８】
なお、特定部２６は、算出した動きベクトルが画面内において０となる被写体が複数である場合には、例えば、この複数の被写体のうち撮像装置１００に最も近い被写体を、流し撮り対象となる被写体として特定する。または、特定部２６は、この複数の被写体のうちサイズが最も大きい被写体を、流し撮り対象となる被写体として特定してもよい。
【００２９】
以降においては、被写体検出部２４により検出される被写体を主要被写体と称し、特定部２６により特定される被写体を流し撮り対象となる被写体と称して説明する。この流し撮り対象となる被写体は、流し撮り撮影の場合において検出される被写体であり、主要被写体は、通常の撮影において検出される被写体である。
【００３０】
表示制御部２２は、バッファメモリー１２に記憶されている、画像処理部２１によって画像処理されたスルー画像信号を読み出し、リアルタイムにモニター１５に出力する。この表示制御部２２は、レリーズ信号が入力される前に、撮像部１０からの画像信号に基づいて連続撮像されるスルー画像をモニター１５に連続表示させる。
【００３１】
また、この表示制御部２２は、撮像部１０から出力された画像信号に基づいた画像とともに、特定部２６が流し撮り対象となる被写体を特定したことに応じて、特定部２６が特定した被写体であることを示す情報である特定被写体情報をモニター１５に表示させる。この特定被写体情報とは、例えば、予め定められている色と形状を有している枠や十字記号である（後述する図２の符号Ｃ参照。以下、この枠を枠Ｃとする。）。この表示制御部２２は、例えば、流し撮り対象となる被写体が、枠Ｃ内に収まるように該枠Ｃを表示させる。また、例えば、表示制御部２２は、特定被写体情報として、十字記号を、流し撮り対象となる被写体に重ねて表示させてもよい。
【００３２】
また、この表示制御部２２は、一度、特定被写体情報を表示した後に、特定部２６が流し撮り対象となる被写体を検出しなくなった場合に、表示させた特定被写体情報をモニター１５に消去させる。また表示制御部２２は、特定部２６が流し撮り対象となる被写体を特定したことに応じて、後述する撮像条件が維持されていることを示すアイコン（後述する図２の符号Ｂ参照。以下、このアイコンをアイコンＢとする。）をモニター１５に消去させる。
【００３３】
撮影制御部２３は、被写体検出部２４が検出した主要被写体に対して撮影条件を設定するとともに、当該被写体検出部２４が検出した主要被写体であることを示す情報である検出被写体情報（例えば、図２の符号Ａ参照。以下、この枠を枠Ａとする。）をモニター１５に表示させる。この検出被写体情報の詳細は後述する。また撮影制御部２３は、検出部２５がパンニングを検出した場合に、表示させた検出被写体情報をモニター１５に消去させる。
【００３４】
また撮影制御部２３は、撮影制御部２３により撮像条件が設定されている場合において、検出部２５がパンニングを検出した場合には、この撮像条件が維持されていることを示すアイコンＢをモニター１５に表示させる。
【００３５】
設定部２７は、特定部２６が特定した流し撮り対象となる被写体に対して撮像条件を設定する。この設定部２７は、レリーズスイッチ１３ｂが半押しされている期間においては、特定部２６が流し撮り対象となる被写体を特定し続けている限り、特定部２６が特定した流し撮り対象となる被写体に対して繰り返し撮像条件の設定を行う。
【００３６】
次に図２と図３とを用いて、上述した撮像装置１００の一例としての動作について説明する。図２は、モニター１５に表示される画像であって、連続するフレームの画像である。ここでは図２に示すように、撮影者が次のようにして撮像装置１００を用いて流し撮りする場合について説明する。
【００３７】
まず、撮影者は撮像装置１００の向きを調整し、モニター１５の画面中央付近に家が表示されるようにしておいて（図２（１）参照）、レリーズスイッチ１３ｂを半押しする。レリーズスイッチ１３ｂが半押しされたことに応じて、被写体検出部２４は、この場合は、家を主要被写体として検出する。
【００３８】
次に、撮影制御部２３は、被写体検出部２４により検出された主要被写体に、主要被写体であることを示す情報である検出被写体情報（例えば、枠Ａ）をモニター１５に表示させる（図２（１）の符号Ａ参照。）。ここでは、この検出被写体情報は、被写体を囲う枠として表示される。より詳細には、検出被写体情報として、被写体を囲う四角形の枠の四隅部分が表示される。
【００３９】
また、撮影制御部２３は、被写体検出部２４により検出された主要被写体である家に対して撮影条件を設定する。この撮影条件の設定は、例えば被写体検出部２４により検出された主要被写体に対しての、ＡＦ制御、ＡＥ制御およびＡＷＢ制御により行われる。
【００４０】
ここでＡＥ制御とは、被写体の輝度を測定し、適正露出となるように撮像素子８による撮像速度および光学系１の絞りを調整することである。またＡＷＢ制御とは、被写体色を測定して最適な色になるように色毎の増幅率を調整する処理である。またＡＦ制御とは、被写体に焦点を合わせる制御である。
【００４１】
また、この撮影条件は、レリーズスイッチ１３ｂが半押しされ続けている期間において維持される。例えば、撮影条件は、レリーズスイッチ１３ｂが半押しされ続けている期間においては、例えば、撮像装置１００の不揮発メモリー１１に記憶される。
【００４２】
次に、撮影者は、レリーズスイッチ１３ｂを半押ししたまま、すなわち、撮影条件を固定したまま、紙面上左方向に撮像装置１００をパンニングする。この場合、左方向に撮像装置１００がパンニングされたことにより、家は、紙面上右方向に順に移動している（図２（１）から（５）参照）。
【００４３】
このように撮像装置１００がパンニングされることに応じて、検出部２５は、角速度センサー２から出力された３軸まわりの回転量に基づいて、撮像装置１００のパンニングを検出する。
【００４４】
撮影制御部２３は、検出部２５がパンニングを検出したことに応じて、検出被写体情報をモニター１５に消去させる（図２（２）参照）。また撮影制御部２３は、検出部２５がパンニングを検出したことに応じて、レリーズスイッチ１３ｂが半押しされた際に設定された撮像条件が維持されていることを示すアイコン（例えば、アイコンＢ）をモニター１５に表示させる（図２（１）から（７）の符号Ｂ参照。）。このアイコンＢは、ここでは、「ＡＥ  ＡＦ−Ｌ」として、モニター１５に表示される。
【００４５】
なお、この図２（１）から（５）においては、検出部２５がパンニングを検出しているが、画面内において動きベクトルが０となる被写体が存在しないため、特定部２６は、流し撮り対象となる被写体を特定していない（後述する図３のフレームｎ＋１からｎ＋８を参照）。
【００４６】
次に、撮影者は、撮像装置１００のパンニングを停止する（図２（５）から（６）参照）。次に、紙面上左方向から右方向に移動する車が、モニター１５の画面内に入ってくる（図２（６）参照）。撮影者は、レリーズスイッチ１３ｂを半押したまま、移動する車に追従させて撮像装置１００を紙面上右方向にパンニングする（図２（７）から（１１）参照）。図２（８）から（１１）に示す例において、撮影者は、移動する車に撮像装置１００のパンニングを追従させることができているものとする。
【００４７】
このように撮像装置１００がパンニングされることに応じて、検出部２５は、角速度センサー２から出力された３軸まわりの回転量に基づいて、撮像装置１００のパンニングを検出する。
【００４８】
特定部２６は、検出部２５がパンニングを検出したことに応じて、検出部２５により検出されたパンニングに基づいて、撮像部１０から出力された画像信号に基づいた画像の撮像領域の中から流し撮り対象となる被写体を特定する。この場合、図２（８）から（１１）において、移動する車に撮像装置１００のパンニングが追従されている。そのため、特定部２６は、図２（８）から（１１）において、流し撮り対象となる被写体を特定することができる。
【００４９】
この図２（８）から（１１）において、特定部２６が流し撮り対象となる被写体を特定したことに応じて、表示制御部２２は、撮像条件が維持されていることを示すアイコンＢをモニター１５に消去させる（図２（７）のアイコンＢおよび図２（８）参照）。
【００５０】
また特定部２６が流し撮り対象となる被写体を特定したことに応じて、表示制御部２２は、特定部２６が特定した流し撮り対象となる被写体であることを示す情報である特定被写体情報をモニター１５に表示させる（図２（８）の枠Ｃ参照）。また特定部２６が流し撮り対象となる被写体を特定したことに応じて、設定部２７は、特定部２６が特定した流し撮り対象となる被写体に対して撮像条件を設定する。この撮像条件の設定は、特定部２６が特定した流し撮り対象となる被写体に対しての、ＡＦ制御、ＡＥ制御およびＡＷＢ制御である。
【００５１】
この図２（８）から（１１）において、レリーズスイッチ１３ｂは半押しされたままであるため、設定部２７は、特定部２６が特定した流し撮り対象となる被写体、すなわち移動する車という被写体に対して、ＡＦ制御、ＡＥ制御およびＡＷＢ制御を連続して行う。
【００５２】
その後、撮影者が、例えば図２（１１）のタイミングで、レリーズスイッチ１３ｂを全押しすることにより、撮像装置１００は、図２（１２）に示すような画像を撮影する。なお、シャッタースピードを流し撮りに適切となるように設定して撮影することにより、車を流し撮りして、図２（１２）に示すような画像を撮影することができる。
【００５３】
次に図３を用いて、被写体１の移動ベクトルと被写体２の移動ベクトルと検出部２５により検出されるパンニングのベクトル（カメラパン速度）との関係、および、特定部２６による流し撮り対象となる被写体を特定する方法について説明する。
【００５４】
ここでは、図２で説明した主要被写体である家を被写体１とし、図２で説明した流し撮り対象となる被写体である車を被写体２として説明する。また、フレーム数を単位とした時間を横軸とし、画面内における各被写体に対応する領域、すなわち、画面内における各被写体の位置を縦軸として説明する。ここでは、各被写体の位置として、画面内の水平方向（例えば、図２に示す画面において横方向）における各被写体の位置を示している。また、画面内における各被写体の中心を、フレーム順に直線で繋いで示している。
連続するフレーム間における画面位置における各被写体の位置の変化量が、各被写体の移動ベクトルに相当する。なお、画面位置における各被写体の位置は２次元平面における位置であるが、この図３においては、１次元（例えば、上述した水平方向）における位置として模式的に例示している。
また、図３において、被写体に対して枠（枠Ａまたは枠Ｃ）を表示していることを、記号「○」で示している。また、被写体に対して枠（枠Ａまたは枠Ｃ）を表示するとともに、この被写体に対して、ＡＦ制御、ＡＥ制御およびＡＷＢ制御して撮影条件を設定していることを、記号「●」で示している。
【００５５】
この図３は図２を用いて説明した流し撮り撮影と対応しており、例えば、図３のフレームｎ＋１が図２（１）に対応し、図３のフレームｎ＋２が図２（２）に対応し、図３のフレームｎ＋３からｎ＋５が図２（３）から（５）に対応する。また、図３のフレームｎ＋６が図２（６）に対応し、図３のフレームｎ＋７からｎ＋８が図２（７）に対応し、図３のフレームｎ＋９が図２（８）に対応する。また、図３のフレームｎ＋１０からｎ＋１４が図２（９）から（１０）に対応し、図３のフレームｎ＋１５が図２（１１）に対応し、図３のフレームｎ＋１７が図２（１２）に対応する。
【００５６】
この図３において、例えば、フレームｎ＋８からｎ＋１４では、検出部２５により検出されるパンニングのベクトル（カメラパン速度）の値が０ではないことにより、撮像装置１００がパンニングされていることを、検出部２５は判定することができる。そしてこの場合、画面内には被写体１と被写体２とが検出されているが、このうち、被写体１は、画面内で移動している。一方、被写体２は、撮影者により追従されているために、画面内で停止している。よって、特定部２６は、動きベクトルが画面内において０となる被写体である被写体２を、流し撮り対象となる被写体を特定することができる。
【００５７】
次に図４と図５とを用いて、撮像装置１００の動作の一例について説明する。ここでは、ユーザによって電源スイッチ１３ａが押下され、電源が投入されてからの撮像装置１００の動作について説明する。
【００５８】
まず撮像装置１００の電源がオンされたことに応じて、ステップＳ００１で、制御部２０は、回路システムをリセットしてシステムを初期化する。次のステップＳ００３で、制御部２０は、撮像素子８を起動し、スルー画像を連続して撮影可能な状態にする。次のステップＳ００４で、制御部２０は、モニター１５を点灯させ、撮像素子８からのスルー画像をモニター１５に表示させる。
【００５９】
次のステップＳ０２１で、制御部２０はＡＥ制御を行う。次のステップＳ０２２で、制御部２０はＡＷＢ制御を行う。次のステップＳ０２３で、制御部２０はＡＦ制御を行う。
【００６０】
次のステップＳ０２４で、制御部２０は、レリーズスイッチ１３ｂが半押しされているか否かを判定する。このステップＳ０２４でレリーズスイッチ１３ｂが半押しされていない場合には、制御部２０は、ステップＳ０２１からの処理を繰り返す。一方、このステップＳ０２４でレリーズスイッチ１３ｂが半押しされている場合には、制御部２０は、ステップＳ０４０へ処理を進める。
【００６１】
次にステップＳ０４０で、制御部２０の被写体検出部２４は、撮像部１０から出力された画像信号に基づいた画像の撮像領域の中から主要被写体を検出する。次にステップＳ０４１で、制御部２０の撮影制御部２３は、被写体検出部２４が検出した主要被写体であることを示す情報である検出被写体情報（例えば、図２（１）の枠Ａ）をモニター１５に表示させる。このステップＳ０４１の処理により、図２（１）に示す枠Ａが表示される。
【００６２】
次にステップＳ０４２からＳ０４４で、制御部２０の撮影制御部２３は、被写体検出部２４が検出した主要被写体に対して撮影条件を設定する。具体的には、制御部２０の撮影制御部２３は、被写体検出部２４が検出した主要被写体に対して、ＡＥ制御、ＡＷＢ制御、ＡＦ制御をそれぞれ行う。ここでのＡＥ制御において、制御部２０の撮影制御部２３は、上述したステップＳ０２１でのＡＥ制御と同様のＡＥ制御を実行するとともに、撮影時の絞りおよびシャッター速度も設定する。これらの撮影条件は、撮像装置１００の不揮発メモリー１１に記憶される。
【００６３】
次のステップＳ０４５で、制御部２０は、パンニング処理をする。このステップＳ０４５でのパンニング処理については、図５を用いて後述する。
【００６４】
次のステップＳ０５１で、半押しされている状態のレリーズスイッチ１３ｂがさらに押下され、レリーズスイッチ１３ｂからのレリーズ信号が入力されたか否かを、制御部２０は判定する。このステップＳ０５１でレリーズ信号が入力されていない場合には、制御部２０は、ステップＳ０５２に処理を進める。
【００６５】
次にステップＳ０５２で、制御部２０は、レリーズスイッチ１３ｂが半押しされているか否かを判定する。このステップＳ０５２でレリーズスイッチ１３ｂが半押しされている場合には、制御部２０は、ステップＳ０４５からの処理を繰り返す。一方、このステップＳ０５２でレリーズスイッチ１３ｂが半押しされていない場合には、制御部２０は、ステップＳ０２１からの処理を繰り返す。
【００６６】
一方、ステップＳ０５１でレリーズ信号が入力されている場合には、制御部２０は、ステップＳ０６１で１コマの撮影処理を実行して、ステップＳ０６２で撮影した画像を記録した後、ステップＳ０２１からの処理を繰り返す。
【００６７】
次に図５を用いて、図４のステップＳ０４５におけるパンニング処理について説明する。まず、ステップＳ３０１で、制御部２０の検出部２５は、角速度センサー２から出力された３軸まわりの回転量に基づいて、撮像装置１００のパンニングがあるか否かを判定する。このステップＳ３０１でパンニングがないと判定された場合には、制御部２０は、処理をステップＳ３０２に進め、ステップＳ３０１でパンニングがあると判定された場合には、制御部２０は、処理をステップＳ３１１に進める。
【００６８】
このステップＳ３０１でパンニングがあると判定された場合には、ステップＳ３１１で、制御部２０は、流し撮りであるか否かを判定する。この流し撮りであるか否かの判定は、制御部２０の特定部２６が流し撮り対象となる被写体を特定したか否かにより行われる。具体的には、制御部２０の特定部２６が流し撮り対象となる被写体を特定している場合には、制御部２０は、流し撮りであると判定し、制御部２０の特定部２６が流し撮り対象となる被写体を特定していない場合には、制御部２０は、流し撮りでないと判定する。このステップＳ３１１で流し撮りであると判定された場合には、制御部２０は、処理をステップＳ３２０に進め、ステップＳ３１１で流し撮りでないと判定された場合には、制御部２０は、処理をステップＳ３１２に進める。
【００６９】
ステップＳ３１１で流し撮りでないと判定された場合には、次のステップＳ３１２で、制御部２０の撮影制御部２３は、表示されている枠（例えば、図２（１）の枠Ａ）をモニター１５に消去させる。次のステップＳ３１３で、制御部２０の撮影制御部２３は、アイコン（例えば、図２（２）のアイコンＢ）をモニター１５に表示させる。その後、制御部２０は、処理を上述した図４のステップＳ０５１へ戻す。
【００７０】
上述したステップＳ３１２からステップＳ３１３の処理が、図２（２）の処理に対応する。
【００７１】
一方、上述したステップＳ３０１でパンニングがないと判定された場合には、次のステップＳ３０２で、制御部２０は、半押し時のＡＥ、ＡＦおよびＡＷＢ、すなわち半押し時の撮影条件を不揮発メモリー１１から読み出して復帰させる。この半押し時のＡＥ、ＡＦおよびＡＷＢとは、上述したステップＳ０４２からＳ０４４におけるＡＥ制御、ＡＦ制御およびＡＷＢ制御による各制御値である。
【００７２】
次にステップＳ３０３で、制御部２０は、レリーズスイッチ１３ｂが半押しされてから、パンニングがあったか否かを判定する。このステップＳ３０３でパンニングがあったと判定された場合には、ステップＳ３０４で、制御部２０は、アイコン（例えば、図２（２）〜（７）のアイコンＢ）を表示して、処理を上述した図４のステップＳ０５１へ戻す。一方、ステップＳ３０３でパンニングがなかった判定された場合には、制御部２０は、処理を上述した図４のステップＳ０５１へ戻す。
【００７３】
上述したステップＳ３０２からステップＳ３０４の処理が、図２（２）から（７）の処理に対応する。
【００７４】
一方、上述したステップＳ３１１で流し撮りであると判定された場合には、ステップＳ３２１で、制御部２０の表示制御部２２は、特定部２６が特定した流し撮り対象となる被写体であることを示す情報である特定被写体情報（例えば、図２（８）の枠Ｃ）をモニター１５に表示させる。次にステップＳ３２２で、制御部２０の表示制御部２２は、表示しているアイコン（例えば、図２（７）のアイコンＢ）をモニター１５に消去させる。
【００７５】
次のステップＳ３２３からＳ３２５で、制御部２０の設定部２７は、上述したステップＳ３２０で特定部２６が特定した流し撮り対象となる被写体に対して撮像条件を設定する。すなわち、制御部２０の設定部２７は、特定部２６が特定した流し撮り対象となる被写体に対して、ＡＥ制御、ＡＷＢ制御、ＡＦ制御をそれぞれ行う。その後、制御部２０は、処理を上述した図４のステップＳ０５１へ戻す。
【００７６】
上述したステップＳ３２１からステップＳ３２５の処理が、図２（８）から（１１）の処理に対応する。
【００７７】
上述した本実施形態による撮像装置１００によれば、表示制御部２２が、パンニングが検出された場合に、撮像部１０から出力された画像信号に基づいた画像とともに、特定部２６により特定された流し撮り対象となる被写体であることを示す情報である特定被写体情報をモニター１５に表示させる。これにより、撮影者が流し撮りする場合に、いずれの被写体（または、物体ないし画像領域）が流し撮り対象となる被写体であるかを、撮影者が確認することができる。
【００７８】
また、例えば流し撮り撮影中において、モニター１５の画面内において流し撮り対象となる被写体を確認できるために、撮影者は、流し撮り対象となる被写体にピントが合っているか否かを確認するなどの撮影条件の確認をすることができる。また、撮影者が、モニター１５の画面内において流し撮り対象となる被写体を確認できるために、流し撮り対象となる被写体を追従するように撮像装置１００をパンニングすることが容易になる。また、流し撮りしている場合において、流し撮り対象となる被写体に対しての特定被写体情報が表示されているか否かを確認することにより、流し撮り対象となる被写体を追従できているか否かを確認することができる。
【００７９】
また、設定部２７は、レリーズスイッチ１３ｂが半押しされている期間においては、特定部２６が特定した流し撮り対象となる被写体に対してレリーズスイッチ１３ｂを半押しした際に設定した撮像条件を維持する。これにより、流し撮りしている場合において、いずれのタイミングで撮影者がレリーズスイッチ１３ｂを全押ししたとしても、撮像装置１００は、流し撮り対象となる被写体を好適な撮影条件にて撮影することができる。
【００８０】
なお上述した検出被写体情報と特定被写体情報とは、図２に枠Ａと枠Ｃとして示すように、それぞれ枠として表示されるものとして説明したが、この検出被写体情報と特定被写体情報とは、互いに区別がつくような枠であってもよい。例えば、検出被写体情報と特定被写体情報との枠の色が、互いに異なってもよい。また、検出被写体情報と特定被写体情報とのうちの第１の枠は白抜きの黒であり、第２の枠は黒抜きの白であってもよい。また、第１の枠は実線であり、第２の枠は波線であってもよい。また、第１の枠は１重枠であり、第２の枠は２重枠であってもよい。
【００８１】
また、第１の枠は点滅しており、第２の枠は常に点灯（常灯）していてもよい。また両方の枠は点滅しているが、その周期が異なるようにしてもよい。また、検出被写体情報と特定被写体情報とのうちの一方は枠であり他方は十字であるように、互いの形状が異なっていてもよい。
【００８２】
このように検出被写体情報と特定被写体情報とをモニター１５の画面内において目視で区別できるようにすることにより、撮影者は、被写体が流し撮り対象となる被写体であるか主要被写体であるかを容易に確認することができる。また、上記の説明においては、図２に符号Ｂに示すようにアイコンを表示したが、このアイコンの形状または文字情報は、任意である。
【００８３】
なお、検出被写体情報、特定被写体情報、および、アイコンを、モニター１５の画面内に表示するものとして説明したが、検出被写体情報、特定被写体情報、および、アイコンを、モニター１５または撮像装置１００が有するモニター１５とは異なる表示部に表示して示してもよい。このモニター１５とは異なる表示部とは、例えば、撮影条件や撮影モードを設定する表示部である。また、撮像装置１００が有するＬＥＤの点灯または消灯により示してもよい。また、撮像装置１００が有するスピーカを介して、音や音声により示してもよい。このようにしても、流し撮りする場合において、撮影者は、撮像装置１００により流し撮り対象となる被写体を検出できているか否か（流し撮り対象となる被写体を追従できているか否か）、または、主要被写体を検出しているか否かを確認することができる。
【００８４】
なお、モニター１５の画面内において、図２に示すように、被写体の表示にオーバーラップさせて検出被写体情報または特定被写体情報を表示する方が望ましい。このようにすることにより、図２に示すように、撮影者は被写体を目視により確認することがしやすくなり、また、流し撮り対象となる被写体を追従しやすくなる。
【００８５】
なお、上記の説明においては、主要被写体と流し撮り対象となる被写体とが、それぞれ１つの場合について説明したが、主要被写体と流し撮り対象となる被写体とは、それぞれ複数であってもよい。この場合、制御部２０は、複数の主要被写体のそれぞれに対して検出被写体情報を表示し、複数の流し撮り対象となる被写体のそれぞれに対して特定被写体情報を表示してもよい。
【００８６】
なお、上記の説明においては、撮影制御部２３は主要被写体に対して撮影条件を設定し、設定部２７は流し撮り対象となる被写体に対して撮像条件を設定するものとして説明した。この撮影制御部２３と設定部２７とは、同様の機能を有しているため、撮影制御部２３と設定部２７とを一体として構成してもよい。
一体とした場合、例えば、一体とされた撮影制御部２３（または設定部２７）が主要被写体に対して撮影条件を設定している場合に、特定部２６が流し撮り対象となる被写体を特定した場合には、制御部２０は、まず、主要被写体を流し撮り対象となる被写体に変更する。次に、一体とされた撮影制御部２３（または設定部２７）は、流し撮り対象となる被写体、すなわち、変更された主要被写体に対して、撮影条件を設定する。
具体的には、図５のステップＳ３１１とＳ３２０との間のステップにおいて、制御部２０は、特定部２６が検出した主要被写体を流し撮り対象となる被写体に変更する。更に、制御部２０は、その後の処理（図５のステップＳ３２１からＳ３２５を参照）を、流し撮り対象となる被写体、すなわち、変更された主要被写体に対して行う。
【００８７】
以上、この発明の実施形態を図面を参照して詳述してきたが、具体的な構成はこの実施形態に限られるものではなく、この発明の要旨を逸脱しない範囲の設計等も含まれる。
【符号の説明】
【００８８】
１…光学系、８…撮像素子、１０…撮像部、１５…モニター、１７…メモリー、２２…表示制御部、２３…撮影制御部、２４…被写体検出部、２５…検出部、２６…特定部、２７…設定部、１００…撮像装置
【図１】
0005397078.tif 000002
【図２】
0005397078.tif 000003
【図３】
0005397078.tif 000004
【図４】
0005397078.tif 000005
【図５】
0005397078.tif 000006